(57)【特許請求の範囲】
【請求項１】
画像表示装置であって、
表示部と、
テレビ放送データを受信するテレビ放送データ受信部と、
緊急災害情報を受信する災害情報受信部と、
前記画像表示装置の周囲にいる人の存在を検知する検知部と、
前記検知部によって人の存在が継続して検知されていない時間を計測するタイマ部と、
メモリから読み出された画像データを前記表示部に表示させているときに、前記災害情報受信部が前記緊急災害情報を受信した場合、前記画像データに代えて前記テレビ放送データを前記表示部に表示させる制御部と
を備え、
前記制御部は、
前記画像データに代えて前記テレビ放送データを前記表示部に表示させてから予め定められた第２の時間が経過するまでの間に、前記検知部が人の存在を検知しなかった場合、前記表示部に表示を停止させ、
前記タイマ部が計測する時間が、予め定められた第３の時間を経過した場合に、前記表示部に表示を停止させ、
前記災害情報受信部が前記緊急災害情報を受信した場合、前記タイマ部に、計測中の前記検知部によって人の存在が継続して検知されていない時間をリセットさせる、画像表示装置。
【請求項２】
前記災害情報受信部が前記緊急災害情報を受信してから予め定められた第１の時間を経過するまでの間に、前記検知部が人の存在を検知した場合、予め定められた宛先に通知情報を送信する送信部
をさらに備える請求項１に記載の画像表示装置。
【請求項３】
前記制御部は、前記災害情報受信部が前記緊急災害情報を受信した場合、前記緊急災害情報を報知するための報知情報を前記表示部に表示させた後に、前記テレビ放送データを前記表示部に表示させる、請求項１または２に記載の画像表示装置。
【請求項４】
前記テレビ放送データ受信部が受信したテレビ放送データの音声を出力する音声出力部
をさらに備え、
前記制御部は、前記緊急災害情報の内容に応じて、前記テレビ放送データの音声を出力させる音量を調整する、請求項１から３のいずれか１項に記載の画像表示装置。
【請求項５】
前記制御部は、緊急災害情報に含まれる災害情報の危険度及び緊急度の少なくとも一方が高いほど、前記テレビ放送データの音声をより大きい音量で出力させる、請求項４に記載の画像表示装置。
【請求項６】
コンピュータを、請求項１から５のいずれか１項に記載の画像表示装置として機能させるためのプログラム。
【請求項７】
メモリから読み出された画像データを画像表示装置が備える表示部に表示する表示段階と、
緊急災害情報を受信する受信段階と、
前記画像データを前記表示部に表示させているときに、前記緊急災害情報を受信した場合、前記画像データに代えてテレビ放送データを前記表示部に表示させる第１表示制御段階と、
前記画像データに代えて前記テレビ放送データを前記表示部に表示させてから予め定められた第２の時間が経過するまでの間に、前記画像表示装置の周囲にいる人の存在を検知する検知部が人の存在を検知しなかった場合、前記表示部に表示を停止させる第２表示制御段階と、
前記検知部によって人の存在が継続して検知されていない時間を計測するタイマ部が計測する時間が、予め定められた第３の時間を経過した場合に、前記表示部に表示を停止させる第３表示制御段階と、
前記緊急災害情報を受信した場合、前記タイマ部に、計測中の前記検知部によって人の存在が継続して検知されていない時間をリセットさせるリセット段階と
を備える画像表示方法。
【発明の詳細な説明】
【技術分野】
【０００１】
本発明は、画像表示装置、画像表示方法、およびプログラムに関する。
【背景技術】
【０００２】
緊急災害速報を受信した場合に、緊急災害速報に含まれる災害情報を音声により報知するデジタルフォトフレームが知られている（例えば、特許文献１）。
特許文献１  特開２０１０−０５５３５９号公報
【発明の概要】
【発明が解決しようとする課題】
【０００３】
緊急災害速報に含まれる災害情報よりもさらに詳細な情報がユーザに提供されることが望ましい。
【課題を解決するための手段】
【０００４】
本発明の第１の態様によれば、表示部と、テレビ放送データを受信するテレビ放送データ受信部と、緊急災害情報を受信する災害情報受信部と、メモリから読み出された画像データを表示部に表示させているときに、災害情報受信部が緊急災害情報を受信した場合、画像データに代えてテレビ放送データを表示部に表示させる制御部とを備える画像表示装置が提供される。
【０００５】
上記画像表示装置は、画像表示装置の周囲にいる人の存在を検知する検知部と、災害情報受信部が緊急災害情報を受信してから予め定められた第１の時間を経過するまでの間に、検知部が人の存在を検知した場合、予め定められた宛先に通知情報を送信する送信部とをさらに備えてよい。また、上記画像表示装置は、画像表示装置の周囲にいる人の存在を検知する検知部を備えてよく、制御部は、画像データに代えてテレビ放送データを表示部に表示させてから予め定められた第２の時間が経過するまでの間に、検知部が人の存在を検知しなかった場合、表示部に表示を停止させてよい。
【０００６】
また、上記画像表示装置は、検知部によって人の存在が継続して検知されていない時間を計測するタイマ部をさらに備えてよく、制御部は、タイマ部が計測する時間が、予め定められた第３の時間を経過した場合に、表示部に表示を停止させてよい。また、上記画像表示装置において、タイマ部は、災害情報受信部が緊急災害情報を受信した場合、計測中の時間をリセットしてよい。また、上記画像表示装置において、制御部は、災害情報受信部が緊急災害情報を受信した場合、緊急災害情報を報知するための報知情報を表示部に表示させた後に、テレビ放送データを表示部に表示させてよい。
【０００７】
本発明の第２の態様によれば、メモリから読み出された画像データを表示部に表示する表示段階と、緊急災害情報を受信する受信段階と、画像データを表示部に表示させているときに、緊急災害情報を受信した場合、画像データに代えてテレビ放送データを表示部に表示させる表示制御段階とを備える画像表示方法が提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係る画像表示装置１００の機能構成を概略的に示す。
【図２】本実施形態に係る画像表示装置１００が実行する画像表示方法のフローチャートの一例を示す。
【図３】表示部１０６に報知情報３０２を表示させた表示例を示す。
【図４】表示部１０６にテレビ放送データ４０２を表示させた表示例を示す。
【図５】本実施形態に係る画像表示装置１００のハードウェア構成の一例を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る画像表示装置１００の機能構成を概略的に示す。画像表示装置１００は、例えば、デジタルフォトフレームである。本実施形態に係る画像表示装置１００は、メモリから読み出された画像データを表示しているときに、緊急災害情報を受信した場合、画像データに代えてテレビ放送データを表示する。
【００１２】
画像表示装置１００は、画像データ取得部１０２、テレビ放送データ受信部１０４、表示部１０６、音声出力部１０８、災害情報受信部１１０、操作部１１２、検知部１１４、送信部１１６、タイマ部１１８、および制御部１２０を備える。
【００１３】
画像データ取得部１０２は、表示部１０６に表示させる画像データを取得する。画像データ取得部１０２は、内蔵メモリから画像データを取得してよい。また、画像データ取得部１０２は、ＳＤメモリカードおよびＭＭＣ（ＭｕｌｔｉＭｅｄｉａＣａｒｄ）などの外部メモリから画像データを取得してよい。また、画像データ取得部１０２は、ネットワークを介して他の装置から画像データを取得してよい。
【００１４】
テレビ放送データ受信部１０４は、テレビ放送データを配信するサーバからテレビ放送データを受信する。テレビ放送データ受信部１０４は、テレビ放送データとして、ワンセグメント放送データを受信してよい。また、テレビ放送データ受信部１０４は、テレビ放送データとして、フルセグメント放送データを受信してよい。
【００１５】
表示部１０６は、画像データ取得部１０２が取得した画像データを表示する。表示部１０６は、複数の画像データを順次切り替えながら表示してよい。また、表示部１０６は、テレビ放送データ受信部１０４が受信したテレビ放送データを表示する。表示部１０６は、タッチ入力可能なディスプレイであってよい。
【００１６】
音声出力部１０８は、テレビ放送データ受信部１０４が受信したテレビ放送データの音声を出力する。また、音声出力部１０８は、内蔵メモリまたは外部メモリから読み出された音声データに対応する音声を出力してよい。例えば、音声出力部１０８は、表示部１０６が複数の画像データを順次表示するのにあわせて、音声データに対応する音声を出力してよい。音声出力部１０８は、テレビ放送データの音声、および内蔵メモリまたは外部メモリから読み出された音声データに対応する音声を、予め設定された音量で出力する。
【００１７】
災害情報受信部１１０は、国の機関および自治体等が配信する緊急災害情報を受信する。災害情報受信部１１０は、例えば、気象庁が配信する緊急地震速報を受信する。災害情報受信部１１０は、気象庁により発表された緊急地震速報を配信するシステムから、緊急地震速報を受信してよい。例えば、災害情報受信部１１０は、気象業務支援センターの配信システムから、緊急地震速報を受信する。また、災害情報受信部１１０は、携帯電話のキャリアが提供する配信サーバから、緊急地震速報を受信してもよい。
【００１８】
また、災害情報受信部１１０は、気象庁が配信する緊急地震速報に基づいて生成されたデータを、緊急災害情報として受信してもよい。例えば、災害情報受信部１１０は、避難所に関する情報などの地域に依存する情報が付け加えられた緊急災害情報を受信する。
【００１９】
また、災害情報受信部１１０は、国および地方公共団体などが配信する災害・避難情報を受信してよい。国・地方公共団体が配信する災害・避難情報には、土砂災害情報、津波情報、弾道ミサイル情報、および噴火情報などが含まれる。
【００２０】
操作部１１２は、ユーザによる入力を受け付ける。操作部１１２は、例えば、複数の操作ボタンを有する。複数の操作ボタンは、ユーザによる接触を検知可能であってよい。複数の操作ボタンは、静電容量方式および抵抗膜方式などのタッチセンサを有してよい。
【００２１】
検知部１１４は、画像表示装置１００の周囲にいる人の存在を検知する。検知部１１４は、例えば、赤外線および超音波などによって、画像表示装置１００の周囲の検知可能な範囲内における人の存在を検知する。検知可能な範囲は、赤外線、超音波の出力方向および赤外線、超音波の強度などによって決定される。例えば、検知部１１４は、画像表示装置１００の表示部１０６が設けられた面側に放射状に広がる検知可能範囲を有してよい。また、検知部１１４は、画像表示装置１００を中心に同心円状に広がる検知可能範囲を有してよい。他の例においては、検知部１１４は、操作部１１２がユーザによる入力を受け付けたことを検出することによって、人の存在を検知してもよい。
【００２２】
送信部１１６は、災害情報受信部１１０が緊急災害情報を受信してから予め定められた第１の時間を経過するまでの間に、検知部１１４が人の存在を検知した場合、予め定められた宛先に通知情報を送信する。通知情報は、画像表示装置１００が緊急災害情報を受信した後に人を検知したことを通知するための情報であってよい。予め定められた第１の時間は、操作部１１２を介して、ユーザによって予め設定されてよい。また、予め定められた宛先も、操作部１１２を介して、ユーザによって予め定められてよい。第１の時間および予め定められた宛先は、内蔵メモリに記憶されてよい。
【００２３】
予め定められた宛先は、電子メールアドレスであってよい。また、予め定められた宛先は、携帯電話の電話番号であってよい。送信部１１６は、予め定められた宛先として電子メールアドレスが登録されている場合には、電子メールによって、通知情報を送信してよい。また、送信部１１６は、予め定められた宛先として携帯電話の電話番号が登録されている場合には、ショートメッセージサービスまたはマルチメディアメッセージングサービスを利用して、通知情報を送信してよい。
【００２４】
タイマ部１１８は、第１経過時間、第２経過時間、及び第３経過時間を計測する。タイマ部１１８は、第１経過時間として、災害情報受信部１１０が緊急災害情報を受信してからの経過時間を計測する。また、タイマ部１１８は、第２経過時間として、災害情報受信部１１０により緊急災害情報を受信したのに応じて表示部１０６がテレビ放送データを表示してからの経過時間を計測する。
【００２５】
また、タイマ部１１８は、第３経過時間として、検知部１１４によって人の存在が継続して検知されていない時間を計測する。タイマ部１１８は、例えば、画像表示装置１００の電源投入時から、検知部１１４によって人の存在が継続して検知されていない時間を計測する。また、タイマ部１１８は、表示部１０６が画像データを表示し始めてから、検知部１１４によって人の存在が継続して検知されていない時間を計測してもよい。また、タイマ部１１８は、画像表示装置１００が最後に操作されてから、検知部１１４によって人の存在が継続して検知されていない時間を計測してもよい。
【００２６】
制御部１２０は、画像データ取得部１０２、テレビ放送データ受信部１０４、表示部１０６、音声出力部１０８、災害情報受信部１１０、操作部１１２、検知部１１４、送信部１１６、およびタイマ部１１８を制御する。制御部１２０は、内蔵メモリまたは外部メモリから読み出された画像データを表示部１０６に表示させているときに、災害情報受信部１１０が緊急災害情報を受信した場合、画像データに代えてテレビ放送データを表示部１０６に表示させる。これにより、緊急災害情報に含まれる情報よりもさらに詳細な情報をユーザに対して提供することができる。また、災害が発生した後に継続して提供される情報を、ユーザに対して提供することができる。
【００２７】
制御部１２０は、予め設定されているチャンネルのテレビ放送データを表示部１０６に表示させてよい。例えば、一般に、災害に関する詳細な情報を他局よりも迅速に提供すると認識されているＮＨＫ総合が予め設定されることによって、画像表示装置１００が、災害についての詳細な情報をより早く提供できる。また、例えば、ある地域のローカルチャンネルが予め設定されることによって、画像表示装置１００が、その地域における災害の詳細情報を提供できる。予め設定されているチャンネルは、ユーザによって設定可能であってよく、ユーザによって変更可能であってよい。
【００２８】
制御部１２０は、画像データに代えてテレビ放送データを表示部１０６に表示させてから予め定められた第２の時間が経過するまでの間に、検知部１１４が人の存在を検知しなかった場合、表示部１０６に表示を停止させてよい。これにより、画像表示装置１００の周囲に人がいないにも関わらず、表示部１０６にテレビ放送データを表示させてしまうことを防止でき、電力を浪費してしまうことを防止できる。第２の時間は、操作部１１２を介して、ユーザによって予め設定されてよい。設定された第２の時間は、内蔵メモリに記憶されてよい。
【００２９】
制御部１２０は、災害情報受信部１１０が緊急災害情報を受信した場合、緊急災害情報を報知するための報知情報を表示部１０６に表示させた後に、テレビ放送データを表示部１０６に表示させてよい。これにより、画像表示装置１００が緊急災害情報を受信したことをユーザに知らせた上で、テレビ放送データを表示部１０６に表示させることができる。すなわち、表示部１０６にテレビ放送データを表示する理由を、ユーザに認識させることができる。
【００３０】
制御部１２０は、タイマ部１１８によって計測される時間が、予め定められた第３の時間を経過した場合に、表示部１０６に表示を停止させてよい。これにより、設定された第３の時間よりも長い時間、表示が継続されてしまうことを防止できる。第３の時間は、操作部１１２を介して、ユーザによって予め設定されてよい。設定された第３の時間は、内蔵メモリに記憶されてよい。
【００３１】
第２の時間は、第３の時間よりも短く設定されることが好ましい。制御部１２０は、ユーザによって、第２の時間が第３の時間よりも長く設定された場合に、表示部１０６および音声出力部１０８に警告を出力させてよい。また、制御部１２０は、第２の時間が第３の時間よりも短く設定することができないように制御してもよい。例えば、制御部１２０は、第３の時間よりも短い第２の時間の設定を受け付けないようにしてよい。
【００３２】
制御部１２０は、表示部１０６に表示を停止させた後、検知部１１４が人を検知した場合に、表示部１０６に画像データの表示を再開させてよい。そして、制御部１２０は、表示部１０６に表示を停止させた後、検知部１１４が人を検知した場合に、タイマ部１１８に、計測中の第３経過時間をリセットさせてよい。
【００３３】
制御部１２０は、災害情報受信部１１０が緊急災害情報を受信した場合、タイマ部１１８に、計測中の第３経過時間をリセットさせてよい。これにより、緊急災害情報を受信してから第２の時間が経過する前に、タイマ部１１８が計測する第３経過時間が第３の時間を経過した場合であっても、表示部１０６の表示が停止されてしまうことを防止できる。
【００３４】
例えば、第３の時間が３０分、第２の時間が１０分に設定されていた場合であって、電源投入時から２５分経過した時点で災害情報受信部１１０が緊急災害情報を受信した場合、タイマ部１１８が計測する時間をリセットしないと、緊急災害情報を受信してから５分後に表示部１０６の表示が停止される。これに対して、本実施形態に係る画像表示装置１００によれば、タイマ部１１８が計測する第３経過時間がリセットされるので、緊急災害情報を受信してから５分経過しても表示部１０６の表示は停止されない。
【００３５】
図２は、本実施形態に係る画像表示装置１００が実行する画像表示方法のフローチャートの一例を示す。本フローチャートは、画像表示装置１００に電源が投入された場合に開始する。各処理段階は、制御部１２０が主体となって実行される。
【００３６】
ステップＳ２０２では、内蔵メモリまたは外部メモリから読み出された画像データを表示部１０６に表示させる。また、タイマ部１１８に、第３経過時間の計測を開始させる。ステップＳ２０４では、タイマ部１１８によって計測されている第３経過時間が、第３の時間を経過しているか否かを判定する。第３の時間を経過していないと判定した場合、ステップＳ２０６に進む。第３の時間を経過していると判定した場合、ステップＳ２３０に進む。なお、タイマ部１１８によって計測されている第３経過時間は、検知部１１４によって人の存在が検知された場合にリセットされる。すなわち、検知部１１４によって人の存在が検知された場合には、タイマ部１１８は検知後からの経過時間を第３経過時間として計測する。
【００３７】
ステップＳ２０６では、災害情報受信部１１０が緊急災害情報を受信したか否かを判定する。緊急災害情報を受信していないと判定した場合、ステップＳ２０４に戻る。緊急災害情報を受信したと判定した場合、ステップＳ２０８に進む。なお、災害情報を受信したと判定した場合、タイマ部１１８に第１経過時間の計測を開始させる。ステップＳ２０８では、タイマ部１１８が、計測中の第３経過時間をリセットする。
【００３８】
ステップＳ２１０では、緊急災害情報を報知するための報知情報を、表示部１０６に表示させる。ステップＳ２１２では、テレビ放送データ受信部１０４が受信したテレビ放送データを、表示部１０６に表示させる。また、タイマ部１１８に、第２経過時間の計測を開始させる。
【００３９】
ステップＳ２１４では、検知部１１４が画像表示装置１００の周囲にいる人の存在を検知したか否かを判定する。人の存在を検知していないと判定した場合には、ステップＳ２２６に進む。人の存在を検知したと判定した場合は、ステップＳ２１６に進む。
【００４０】
ステップＳ２１６では、タイマ部１１８に、計測中の第２経過時間、および第３経過時間時間をリセットさせる。ステップＳ２１８では、タイマ部１１８により計測されている第１経過時間が第１の時間を経過したか否かを判定する。第１の時間を経過していないと判定した場合、ステップＳ２２０に進む。第１の時間を経過したと判定した場合、ステップＳ２２８に進む。
【００４１】
ステップＳ２２０では、通知情報フラグがオンになっているか否かを判定する。通知情報フラグは、災害情報受信部１１０が緊急災害情報を受信した場合であって、送信部１１６が通知情報を送信したときにオンにされるフラグである。通知情報フラグは内蔵メモリに記憶されてよい。１つの緊急災害情報につき、１つの通知情報フラグが対応付けられて記憶されてよい。
【００４２】
通知情報フラグがオンになっていないと判定した場合はステップＳ２２２に進む。通知情報フラグがオンになっていると判定した場合はステップＳ２２８に進む。ステップＳ２２２では、送信部１１６に、予め定められた宛先に対して通知情報を送信させる。これにより、緊急災害情報を受信してから第１の時間を経過しておらず、受信した緊急災害情報について１度も通知情報を送信していない場合に、通知情報を送信することができる。ステップＳ２２４では、通知情報フラグをオンにする。通知情報フラグにより、１つの緊急災害情報に対して、通知情報が複数回通知されてしまうことが防止される。
【００４３】
ステップＳ２１４で人の存在を検知していないと判定した場合に、ステップＳ２２６に進む。ステップＳ２２６では、タイマ部１１８によって計測されている第２経過時間が、第２の時間を経過しているか否かを判定する。第２の時間が経過していると判定した場合、ステップＳ２３０に進む。第２の時間が経過していないと判定した場合、ステップＳ２２８に進む。ステップＳ２１８で第１の時間を経過していると判定した場合、およびステップＳ２２４で通知情報フラグをオンにした後にも、ステップＳ２２８に進む。
【００４４】
ステップＳ２２８では、タイマ部１１８によって計測されている第３経過時間が、第３の時間を経過しているか否かを判定する。第３の時間を経過していないと判定した場合、ステップＳ２１４に戻る。第３の時間を経過していると判定した場合、ステップＳ２３０に進む。また、ステップＳ２０４において第３の時間を経過していると判定した場合、およびステップＳ２２６において第２の時間が経過していると判定した場合に、ステップＳ２３０に進む。
【００４５】
ステップＳ２３０では、表示部１０６に表示を停止させる。これにより、テレビ放送データを表示させてから第２の時間が経過するまでの間に人の存在が検知されなかった場合に、表示部１０６に表示を停止させることができる。よって、画像表示装置１００の周囲に人がいないにも関わらず、長時間テレビ放送データが表示されてしまうことを防止できる。
【００４６】
ステップＳ２３２では、災害情報受信部１１０が緊急災害情報を受信したか否かを判定する。緊急災害情報を受信したと判定した場合、ステップＳ２０８に戻る。緊急災害情報を受信していないと判定した場合、ステップＳ２３４に進む。ステップＳ２３４では、画像データを表示する表示指示を受け付けたか否かを判定する。表示指示を受け付けたと判定した場合、ステップＳ２０２に戻る。表示指示を受け付けていないと判定した場合、ステップＳ２３６に進む。ステップＳ２３６において、電源がオフされていない場合は、ステップＳ２３２に戻る。電源がオフされた場合は、処理が終了する。
【００４７】
なお、図２に示すフローチャートでは、第３経過時間が第３の時間を経過した場合に表示部１０６の表示を停止させた後、緊急災害情報を受信した場合に、テレビ放送データを表示部１０６に表示させる例を挙げて説明した。しかし、これに限らない。制御部１２０は、ユーザの指示によって画像データの表示を停止した後、緊急災害情報を受信した場合に、テレビ放送データを表示部１０６に表示させてよい。また、制御部１２０は、画像表示装置１００の電源投入後、表示部１０６が画像データを表示する前に、緊急災害情報を受信した場合に、テレビ放送データを表示部１０６に表示させてよい。
【００４８】
また、制御部１２０は、表示部１０６が画像データ以外のデータを表示中、緊急災害情報を受信した場合に、テレビ放送データを表示部１０６に表示させてよい。例えば、制御部１２０は、表示部１０６がメールデータ及びカレンダーデータ等を表示中、緊急災害情報を受信した場合に、テレビ放送データを表示部１０６に表示させてよい。
【００４９】
また、本実施形態では、画像表示装置１００に電源が投入された場合に図２に示すフローチャートを開始する例を挙げて説明したが、これに限らない。ユーザから画像データを表示する指示を受け付けた場合に開始してもよく、検知部１１４が人を検知したのに応じて開始してもよい。
【００５０】
図３は、表示部１０６に報知情報３０２を表示させた場合の表示例を示す。図３に示す表示例では、報知情報３０２が、ＯＫボタン３０４を含む。制御部１２０は、災害情報受信部１１０が緊急災害情報を受信した場合、緊急災害情報を報知するための報知情報３０２を表示部１０６に表示させる。
【００５１】
制御部１２０は、ユーザによってＯＫボタン３０４が指定された場合に、画像データに代えてテレビ放送データを表示部１０６に表示させてよい。これにより、ユーザが報知情報を閲覧したことを確認した上で、テレビ放送データを表示させることができる。なお、制御部１２０は、報知情報３０２を表示させてから、予め定められた時間を経過するまでＯＫボタン３０４が指定されない場合に、画像データに代えてテレビ放送データを表示部１０６に表示させてもよい。
【００５２】
表示部１０６がタッチ入力可能なディスプレイである場合、ユーザは、ＯＫボタン３０４に接触することによって、ＯＫボタン３０４を指定できる。表示部１０６がタッチ入力可能なディスプレイでない場合には、ユーザは、操作部１１２を介して、ＯＫボタン３０４を指定してよい。
【００５３】
図４は、表示部１０６にテレビ放送データ４０２を表示させた場合の表示例を示す。図４に示す表示例では、テレビ放送データ４０２が、速報通知４０４を含む。制御部１２０は、表示部１０６に表示させていた画像データに代えて、テレビ放送データ４０２を表示部１０６に表示させる。
【００５４】
テレビ放送データ４０２に対応する番組では、より詳しい災害予測情報、および専門家による解説などが提供される。したがって、テレビ放送データ４０２を継続して表示部１０６に表示させることによって、緊急地震速報に含まれる情報よりも多くの情報をユーザに対して提供することができる。また、テレビ放送データ４０２に対応する番組では、災害発生後に、災害による被害の状況などが提供される。よって、さらに継続してテレビ放送データ４０２を表示部１０６に表示させることによって、発生した災害による被害状況などの情報もユーザに対して提供することができる。
【００５５】
本実施形態においては、緊急災害情報を受信してから予め定められた第１の時間を経過するまでの間に、検知部１１４が人の存在を検知した場合、予め定められた宛先に通知情報を送信する例を挙げて説明した。しかし、これに限らない。図３に示すように、ＯＫボタン３０４を含む報知情報３０２を表示部１０６に表示させて、ユーザによってＯＫボタン３０４が指定された場合に、制御部１２０が、送信部１１６に、予め定められた宛先に通知情報を送信させてもよい。これにより、表示部１０６に表示された報知情報をユーザが確認して、ＯＫボタン３０４を指定したという事実を、第３者に伝えることができる。
【００５６】
また、本実施形態において、音声出力部１０８が、テレビ放送データの音声を、設定された音量で出力する例を挙げて説明した。ここで、制御部１２０は、受信した緊急災害情報の内容に応じて、テレビ放送データの音声を出力させる音量を調整してもよい。例えば、制御部１２０は、受信した緊急災害情報に含まれる災害情報の危険度が高いほど、より大きい音量で出力させる。また、受信した緊急災害情報に含まれる災害情報の緊急度が高いほど、より大きい音量で出力させてもよい。
【００５７】
具体的に、制御部１２０は、緊急地震速報を受信した場合に、緊急地震速報に含まれる震度情報が示す震度が大きいほど、より大きい音量でテレビ放送データの音声を出力させてよい。また、制御部１２０は、緊急地震速報に含まれる地震の発生予測時刻までの時間が短いほど、より大きい音量でテレビ放送データの音声を出力させてよい。また、制御部１２０は、緊急地震速報に含まれる震源の位置が近いほど、より大きい音量でテレビ放送データの音声を出力させてよい。
【００５８】
これにより、テレビ放送データの音声を聴いたユーザは、その音量の大きさによって、災害の危険度、緊急度などを把握することができる。すなわち、ユーザに対して、災害情報の危険度、緊急度などを適切に提供することができる。特に、ユーザが表示部１０６を直接見ていない場合であっても、災害が発生したことおよび災害の危険度、緊急度などをユーザに認識させることができる。なお、制御部１２０は、例えば、内蔵メモリに記憶された画像表示装置１００の位置情報と、緊急地震速報に含まれる震源の位置情報とに基づいて、震源の近さを判定してよい。
【００５９】
図５は、本実施形態に係る画像表示装置１００のハードウェア構成の一例を示す。本実施形態に係る画像表示装置１００は、ホストコントローラ９０２により相互に接続されるＣＰＵ９０４、ＲＡＭ９０６、グラフィックコントローラ９０８、およびサウンドコントローラ９１２を有するＣＰＵ周辺部を備える。また、画像表示装置１００は、入出力コントローラ９１６によりホストコントローラ９０２に接続される内蔵メモリ９１８、外部メモリインターフェイス９２０、通信インターフェイス９２２、アンテナ９２４、およびアンテナ９２６を有する入出力部を備える。
【００６０】
ホストコントローラ９０２は、ＲＡＭ９０６と、高い転送レートでＲＡＭ９０６をアクセスするＣＰＵ９０４とを接続する。ＣＰＵ９０４は、ＲＡＭ９０６および内蔵メモリ９１８に格納されたプログラムに基づいて動作して、各部を制御する。入出力コントローラ９１６は、ホストコントローラ９０２と、内蔵メモリ９１８、外部メモリインターフェイス９２０、および通信インターフェイス９２２とを接続する。
【００６１】
内蔵メモリ９１８は、例えば、半導体メモリである。外部メモリインターフェイス９２０は、ＳＤメモリカードおよびＭＭＣ等の外部メモリカードを差し込むためのスロットを備えてよい。通信インターフェイス９２２は、ネットワークを介して他の装置と通信する。通信インターフェイス９２２は、アンテナ９２４を介して、テレビ放送データを受信してよい。すなわち、アンテナ９２４は、テレビ放送データ受信部１０４の一例であってよい。
【００６２】
通信インターフェイス９２２は、アンテナ９２６を介して、無線通信網に接続してよい。例えば、通信インターフェイス９２２は、アンテナ９２６を介して、第３世代移動通信システムの回線（３Ｇ回線）等に接続してよい。また、通信インターフェイス９２２は、アンテナ９２６を介して、無線ＬＡＮ回線に接続してもよい。
【００６３】
通信インターフェイス９２２は、アンテナ９２６を介して緊急災害情報を受信してよい。すなわち、アンテナ９２６は、災害情報受信部１１０の一例であってよい。なお、画像表示装置１００は、緊急災害情報を受信するためのアンテナを別途備えてもよい。また、通信インターフェイス９２２は、アンテナ９２６を介して、通知情報を送信してよい。すなわち、アンテナ９２６は、送信部１１６の一例であってよい。
【００６４】
グラフィックコントローラ９０８には、ディスプレイ９１０が接続される。グラフィックコントローラ９０８は、ＣＰＵ９０４等がＲＡＭ９０６内に設けたフレームバッファ上に生成する画像データを取得して、ディスプレイ９１０に表示させる。これに代えて、グラフィックコントローラ９０８は、ＣＰＵ９０４等が発生する画像データを格納するフレームバッファを、内部に含んでもよい。ディスプレイ９１０は、例えば液晶ディスプレイである。ディスプレイ９１０は、タッチパネルディスプレイであってよい。ディスプレイ９１０は、表示部１０６の一例であってよい。
【００６５】
サウンドコントローラ９１２には、スピーカ９１４が接続される。サウンドコントローラ９１２は、ＲＡＭ９０６および内蔵メモリ９１８に記憶された音声データをスピーカ９１４に出力させてよい。また、サウンドコントローラ９１２は、アンテナ９２６を介して受信されたテレビ放送データの音声をスピーカ９１４に出力させてよい。
【００６６】
画像表示装置１００にインストールされて実行されるプログラムは、ＣＰＵ９０４等に働きかけて、画像表示装置１００を、図１から図４にかけて説明した画像データ取得部１０２、テレビ放送データ受信部１０４、表示部１０６、音声出力部１０８、災害情報受信部１１０、操作部１１２、検知部１１４、送信部１１６、タイマ部１１８、および制御部１２０として機能させる。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６９】
１００  画像表示装置、１０２  画像データ取得部、１０４  テレビ放送データ受信部、１０６  表示部、１０８  音声出力部、１１０  災害情報受信部、１１２  操作部、１１４  検知部、１１６  送信部、１１８  タイマ部、１２０  制御部、３０２  報知情報、３０４  ＯＫボタン、４０２  テレビ放送データ、４０４  速報通知、９０２  ホストコントローラ、９０４  ＣＰＵ、９０６  ＲＡＭ、９０８  グラフィックコントローラ、９１０  ディスプレイ、９１２  サウンドコントローラ、９１４  スピーカ、９１６  入出力コントローラ、９１８  内蔵メモリ、９２０  外部メモリインターフェイス、９２２  通信インターフェイス、９２４  アンテナ、９２６  アンテナ
【図１】
0005555747.tif 000002
【図２】
0005555747.tif 000003
【図３】
0005555747.tif 000004
【図４】
0005555747.tif 000005
【図５】
0005555747.tif 000006